(57)【要約】【課題】取り付けの基本条件を充足しながら様々な寸法の屈曲に対応することの可能な防音パネルを提供すること。【解決手段】各縦枠部材１０は対向方向に対して突出部を形成することにより段部１１ａを有すると共に略同一断面形状の部材をこの段部１１ａ内側が湾曲の内側Ｓｉとなるように屈曲されている。板部材３を段部１１ａの内側に位置させると共にさらに板部材３の段部１１ａとは反対側面の縁に押縁４を縦枠部材１０に取り付けて板部材３を矩形枠２に固定してある。断面形状で少なくともＬ字部分を有する略同一断面形状の補助材１４を段部１１ａ内側と板部材３との間に配置し、この補助材１４の一辺である固定部を板部材３の側縁に対向する位置で縦枠部材１０に固定する。この固定部から立ち上がる立ち上がり部と押縁との間に板部材３の両縦縁を挟持してある。【選択図】図２
2014159720.tif 000002
【特許請求の範囲】
【請求項１】
対向する一対の縦枠部材及び対向する一対の横枠部材を組み合わせてなる矩形枠と、この矩形枠の開口部に組み込まれる平板状の板部材とを備え、
前記各縦枠部材は対向方向に対して突出部を形成することにより段部を有すると共に略同一断面形状の部材をこの段部内側が湾曲の内側となるように屈曲されたものであり、
前記板部材を前記段部の内側に位置させると共にさらに前記板部材の前記段部とは反対側面の縁に押縁を縦枠部材に取り付けて前記板部材を前記矩形枠に固定してある遮音パネルにおいて、
断面形状で少なくともＬ字部分を有する略同一断面形状の補助材を前記段部内側と前記板部材との間に配置し、この補助材の一辺である固定部を前記板部材の側縁に対向する位置で前記縦枠部材に固定し、この固定部から立ち上がる立ち上がり部と前記押縁との間に前記板部材の両縦縁を挟持してある遮音パネル。
【請求項２】
対向する一対の縦枠部材及び対向する一対の横枠部材を組み合わせてなる矩形枠と、この矩形枠の開口部に組み込まれる平板状の板部材とを備え、
前記各縦枠部材は対向方向に対して突出部を形成することにより段部を有すると共に略同一断面形状の部材をこの段部内側が湾曲の内側となるように屈曲されたものであり、
前記板部材を前記段部の内側に位置させると共にさらに前記板部材の前記段部とは反対側面の縁に押縁を縦枠部材に取り付けて前記板部材を前記矩形枠に固定してある遮音パネルにおいて、
断面形状で少なくともＬ字部分を有する略同一断面形状の補助材を前記段部内側と前記板部材との間に配置し、この補助材の一辺を前記板部材の側縁に対向する位置で前記縦枠部材に対向させた状態で補助材を前記縦枠部材に接着材で固着し、前記一辺から立ち上がる立ち上がり部と前記押縁との間に前記板部材の両縦縁を挟持してある遮音パネル。
【請求項３】
前記補助材が前記立ち上がり部の上にさらに前記段部側に張り出す張出部を有し、この張出部を前記突出部に固定してある請求項１または２のいずれかに記載の遮音パネル。
【請求項４】
前記押縁または立ち上がり部と前記板部材との間にコーキングまたはガスケットを介在させてある請求項１〜３のいずれかに記載の遮音パネル。
【請求項５】
前記縦枠部材が、その断面形状において、前記対向とは反対側に解放されたチャンネル部と、このチャンネル部のウエブから突出し前記段部を形成する中空部とを有している請求項１〜４のいずれかに記載の遮音パネル。
【発明の詳細な説明】
【技術分野】
【０００１】
本発明は、遮音パネルに関する。さらに詳しくは、対向する一対の縦枠部材及び対向する一対の横枠部材を組み合わせてなる矩形枠と、この矩形枠の開口部に組み込まれる平板状の板部材とを備え、前記各縦枠部材は対向方向に対して突出部を形成することにより段部を有すると共に略同一断面形状の部材をこの段部内側が湾曲の内側となるように屈曲されたものであり、前記板部材を前記段部の内側に位置させると共にさらに前記板部材の前記段部とは反対側面の縁に押縁部材を縦枠部材に取り付けて前記板部材を前記矩形枠に固定してある遮音パネルに関する。
【背景技術】
【０００２】
この種の遮音パネルは、例えば、大型化しつつある高速道路用の防音壁の一部に使用され、防音壁の高さがあまりにも高いと、周囲の景観に対する影響もあるため、上方部分を湾曲させることが多く、そのような湾曲部分に使用される。図７に示すように、遮音パネル１’の縦枠部材１０’は高速道路側が内側になるように屈曲される一方、ガラス等の板部材３’にはコスト低廉のために平板状のものが用いられるようになった。そして、段部１１ａ’と板部材３’との間に生じる湾曲した隙間を埋めるために隙間充填部材６０’を用いることが提唱されていた（例えば、特許文献１参照）。
【先行技術文献】
【特許文献】
【０００３】
【特許文献１】特許第４５３６０００号公報
【発明の概要】
【発明が解決しようとする課題】
【０００４】
この種の防音パネルでは、防音性能及び道路等での振動による板部材の脱落防止の点から、板部材の端部は堅牢に取り付けられ、十分なシール性が求められる。一方、縦枠部材は現場の状況に応じて様々な寸法で湾曲されることとなる。その結果、防音パネルの設置現場毎に異なる寸法の「隙間充填部材」を製作せねばならず、その寸法精度が低ければ、防音パネルの基本性能に影響を与えることになりかねず、一大問題である。また、段部を押縁のように別部材にすることは、建枠部材の強度及びコストの点で問題となる。
【０００５】
以上の実情に鑑みて、本発明の目的は、取り付けの基本条件を充足しながら様々な寸法の屈曲に対応することの可能な防音パネルを提供することにある。
【課題を解決するための手段】
【０００６】
本発明の遮音パネルの特徴構成は、対向する一対の縦枠部材及び対向する一対の横枠部材を組み合わせてなる矩形枠と、この矩形枠の開口部に組み込まれる平板状の板部材とを備え、前記各縦枠部材は対向方向に対して突出部を形成することにより段部を有すると共に略同一断面形状の部材をこの段部内側が湾曲の内側となるように屈曲されたものであり、前記板部材を前記段部の内側に位置させると共にさらに前記板部材の前記段部とは反対側面の縁に押縁を縦枠部材に取り付けて前記板部材を前記矩形枠に固定してある構成において、断面形状で少なくともＬ字部分を有する略同一断面形状の補助材を前記段部内側と前記板部材との間に配置し、この補助材の一辺である固定部を前記板部材の側縁に対向する位置で前記縦枠部材に固定し、この固定部から立ち上がる立ち上がり部と前記押縁との間に前記板部材の両縦縁を挟持することにある。
【０００７】
同特徴構成によれば、補助材は固定部で板部材の側縁に対向する位置で前記縦枠部材に固定してあり、しかもそこから立ち上がり部が立ち上がっているだけなので、遮音パネルの厚み方向に対する厚みを増大させることなく、板部材を立ち上がり部と押縁との間で挟持できる。
【０００８】
なお、断面形状で少なくともＬ字部分を有する略同一断面形状の補助材を前記段部内側と前記板部材との間に配置し、この補助材の一辺を前記板部材の側縁に対向する位置で前記縦枠部材に対向させた状態で補助材を前記縦枠部材に接着材で固着し、前記一辺から立ち上がる立ち上がり部と前記押縁との間に前記板部材の両縦縁を挟持してもよい。
【０００９】
同特徴構成において、前記補助材が前記立ち上がり部の上にさらに前記段部側に張り出す張出部を有し、この張出部を前記突出部に固定してもよい。同構成によれば、張出部の存在と突出部との連結により立ち上がり部の剛性が向上し、板部材を立ち上がり部と押縁との間での挟持がさらに堅牢なものとなる。
【００１０】
好ましい実施形態によれば、前記押縁または立ち上がり部と前記板部材との間にコーキングまたはガスケットを介在させるとよい。
【００１１】
さらに、上記特徴構成において、前記縦枠部材が、その断面形状において、前記対向とは反対側に解放されたチャンネル部と、このチャンネル部のウエブから突出し前記段部を形成する中空部とを有してもよい。同構成によれば、中空部の存在によりチャンネル部が解放されていても縦枠部材の強度は維持される。しかも、遮音パネルに必要な縦枠部材の側部に設けられる脱落防止金具に対するワイヤー等の設置がチャンネル部の解放部を通して容易となる。
【００１２】
本発明の他の特徴構成及び作用効果については、以下に示す「発明を実施するための形態」の記載と図面により明らかになるであろう。
【図面の簡単な説明】
【００１３】
【図１】高速道路用の防音壁を示す斜視図である。
【図２】本発明の遮音パネルを示す分解斜視図である。
【図３】図２のiii-iii線における遮音パネルの縦断面図である。
【図４ａ】遮音パネルの横断面図を示し、図３のiva-iva線における横断面図である。
【図４ｂ】遮音パネルの横断面図を示し、図３のivb-ivb線における横断面図である。
【図４ｃ】遮音パネルの横断面図を示し、図３のivc-ivc線における横断面図である。
【図５】図３の下部拡大縦断面図である。
【図６】補助材の固定手段として接着材を用いた図４ａ相当図であるである。
【図７】遮音パネルの従来例を示す分解斜視図である。
【発明を実施するための形態】
【００１４】
図１〜５を参照しながら、本発明の実施形態を以下に説明する。
この遮音パネル１は、図２〜４ｃに示すように、対向する一対の縦枠部材１０，１０及び対向する一対の横枠部材２０，２０（２１，２４）を組み合わせてなる矩形枠２と、この矩形枠２の開口部２ａに組み込まれる平板状の板部材３とを備えている。板部材３は、例えば合わせガラスであり、透明ガラスと網入りガラスとが接合されたものとなっている。
【００１５】
各縦枠部材１０は対向方向に対して中空部を突出させて形成した段部１１ａを有すると共に略同一断面形状の部材をこの段部内側が湾曲の内側となるように屈曲されたものである。一方、各横枠部材２０は直線状部材よりなり、同様に段部２２ａを有している。縦枠部材１０の段部１１ａ内側には、本発明において重要な補助部材が取り付けられる。そして、板部材３を段部１１ａ，２２ａの内側に位置させると共に板部材３の段部とは反対側面の縁に押縁部材４，５を縦枠部材１０、横枠部材２０に取り付けて板部材３を矩形枠２に固定してある。
【００１６】
大略このように構成された遮音パネル１は、例えば図１に示すような防音壁５０で用いられる。この防音壁５０では、上方側を道路側に湾曲させたＨ型鋼からなる多数の支柱５１を備え、隣接する支柱５１間において、その下方に平板状の遮音パネル５２を積み重ね、その上方に湾曲状の本発明に係る遮音パネル１を積み重ねられる。屈曲の内側（凹側）が本線側Ｓｉであり屈曲の外側（凸側）が民地側Ｓｏである。
【００１７】
縦押縁４、横押縁５、縦枠部材１０、補助部材１４、横枠部材２０はいずれも基本的に断面同一形状であり、金属の一例であるアルミの押出し成形品で構成されている。
【００１８】
図４ａ〜４ｃに示す各縦枠部材１０は、各断面形状において、対向方向に対して略矩形の中空部１１により突出部を形成することにより段部１１ａを有する。また、対向とは反対側に解放されたチャンネル部１２を有し、先の中空部１１はチャンネル部のウエブ１２ａから突出している。
【００１９】
図３に示す上横枠部材２１（２０）は、中空状の凸嵌合部２３とこの凸嵌合部２３の下面から突出する中空部２２とよりなり、中空部２２の内側に段部２２ａを形成する。一方、図３，５に示す下横枠部材２４（２０）は、同様に、中空状の凹嵌合部２６とこの凹嵌合部２６の下面から突出する中空部２５とよりなり、中空部２５の内側に段部２５ａを形成する。そして、ある遮音パネルの凸嵌合部２３の上に上積みされる他の遮音パネルの下辺の凹嵌合部２６を嵌合させることにより、音漏れが防がれる。
【００２０】
図２〜５に示すように、押縁４，５はいずれも断面略矩形を呈し、複数の止めねじ６等の締結手段により、建枠部材１０、横枠部材２０の内側に固定される。
【００２１】
縦枠部材１０は上述のごとく形成した押出成形品を図３のごとく屈曲させて構成してある。上述のごとく、段部１１ａを形成した側が屈曲の内側、すなわち本線側Ｓｏとなるように屈曲させてある。このように屈曲させると、図４ａ〜４ｃに示すように、押縁４を縦枠部材１０のウェブ１２ａに取り付けた場合、中空部１１も屈曲していることから、段部１１ａと押縁４の民地側Ｓｏ面との距離Ｌ１〜３ないし段部１１ａと板部材３の民地側Ｓｏの面３ａとの距離Ｍ１〜３が、縦枠部材１０の高さ位置によって異なることとなる。ここで、中空部１１を押縁４のごとく別部材とすると、縦枠部材１０の強度低下やコスト高の問題を生じる。また、隙間充填部材を用いる場合は、このＬ１〜３ないしＭ１〜３の距離の寸法誤差を吸収せねばならず、製作の寸法精度を充足するのは困難である。
【００２２】
そこで、本発明では、上述の補助材１４を用いることで、これらの問題を解決している。補助材１４は、図２〜４ｂに示すように、平板の両端辺を略９０度反対側に屈曲させた断面形状を呈しており、段部１４ａ内側と板部材３との間に配置してある。この補助材１４の一辺である固定部１４ａは板部材３の側縁に対向する位置でウェブ１２ａにリベットやネジなどの複数の下固定具１５により複数個所で固定してある。
【００２３】
また、この固定１４ａから立ち上がる立ち上がり部１４ｂを備え、立ち上がり部１４ｂの上にさらに段部１１ａ側に張り出す張出部１４ｃを有し、この張出部１４ｃを突出部１１に固定してある。具体的には補助材１４の上下二か所において、リベットやネジなどの複数の上固定具１６により固定してある。この張出部１４ｃが連結された角部の存在と上固定具１６との連携により、立ち上がり部１４ｂの剛性は向上し、押縁４との間に板部材３の両縦縁をしっかりと挟持することができる。
【００２４】
つぎに、矩形枠２に板部材３としての板ガラスを組み付ける手順について説明する。まず、各縦枠部材１０の段部１１ａ近傍に補助材１４を位置させ、固定部１４ａをウェブ１２ａに、張出部１４ｃを中空部１１にそれぞれ固定する。次いで、一対の縦枠部材１０、１０及び一対の横枠部材２０，２０とを組みつけて矩形枠２を形成する。そして、図５に示すようにセッティングブロック１２を配置するとともに、板部材３の４辺の両面に対し必要な箇所にコーキングまたはガスケット７を配置する。そして、板部材３の四辺縁部上に押縁４，５を載置し、止めねじ６で複数個所において縦枠部材１０、横枠部材２０に固定する。これによって、板部材３の縁部は、補助材１４の立ち上がり部１４ｂと押縁４との間、および、横枠部材２０の段部２２ａ，２５ａと押縁５との間にそれぞれしっかりと挟持される。
【００２５】
このように組み付けられた遮音パネル１は、上述のごとくＨ型鋼の支柱５１間に組み付けられる。図２，４ａのごとく縦枠部材１０の両外側には、チャンネル部１２の溝が開口しており、その一部のフランジ１２ｂに、アイボルトを含む脱落防止具１８が設けられている。また横枠部材２０の凸嵌合部２３及び凹嵌合部２６にはそれぞれ、切欠き２３ａ，２６ａが形成されている。そして、これら、切欠き２３ａ，２６ａを介して脱落防止金具１８に脱落防止ワイヤーが挿通され、遮音パネル１の脱落が防止される。チャンネル部１２の開口により脱落防止金具１８の作業性は向上し、また、縦枠部材１０全体の強度は中空部１１の存在により充足されることとなる。
【００２６】
最後に本発明の他の実施形態の可能性につき言及する。
上記実施形態では、補助材１４を構成するに張出部１４ｃを設けたが、固定部１４ａ及び立ち上がり部１４ｂのみで構成することもできる。但し、強度的には張出部１４ｃを備えた方が有利である。
上記実施形態では、板部材３としてガラスを用いたが、ポリカーボネイトや金属板を用いることも可能である。
中空部１１、２２，２５及び押縁４，５として略矩形の形状を用いたが、同様の機能を発揮する限りにおいて略矩形に限られるものではない。
本発明の主眼はパネルの構造にあり、したがって、遮音パネルには防音パネルも含まれるものとする。
【００２７】
上記実施形態では、補助材を固定するに、リベットまたはねじを用いたが、これを接着材により固定してもよい。詳しくは、図６に示すように、補助材１４の一辺１４ａを板部材３の側縁に対向する位置で縦枠部材１０に対向させた状態で補助材１４を縦枠部材１０に接着材１９で固着する。そして、一辺１４ａから立ち上がる立ち上がり部１４ｂと押縁４との間に板部材３の両縦縁を挟持してもよい。接着材１９は、立ち上がり部１４ｂ、張出部１４ｃと中空部１１との間に充填してもよいが、先の一辺１４ａとウェブ１２ａとの間に充填して接着してもよい。
【符号の説明】
【００２８】
１：遮音パネル、２：矩形枠、２ａ：開口部、３：板部材、４：縦押縁、５：横押縁、６：止めねじ、７：ガスケット、１０：縦枠部材、１１：中空部、１１ａ：段部、１２：チャンネル部、１２ａ：ウエブ、１２ｂ：フランジ、１４：補助材、１４ａ：固定部、１４ｂ：立ち上がり部、１４ｃ：張出部、１５：下固定具、１６：上固定具、１８：脱落防止具、１９：接着材、２０：横枠部材、２１：上横枠部材、２２：中空部、２２ａ：段部、２３：凸嵌合部、２３ａ：切欠き、２４：下横枠部材、２５：中空部、２５ａ：段部、２６：凹嵌合部、２６ａ：切欠き、２８：セッティングブロック、５０：防音壁、５１：支柱（Ｈ型鋼）、５２：平坦な遮音パネル
【図１】
2014159720.tif 000003
【図２】
2014159720.tif 000004
【図３】
2014159720.tif 000005
【図４ａ】
2014159720.tif 000006
【図４ｂ】
2014159720.tif 000007
【図４ｃ】
2014159720.tif 000008
【図５】
2014159720.tif 000009
【図６】
2014159720.tif 000010
【図７】
2014159720.tif 000011